(57)【要約】【課題】マルチキャスト対応ネットワーク装置を用いることなく複数のネットワーク間の通信ができるようにする。【解決手段】本発明の通信制御システムは、マルチキャストグループ情報を管理しないネットワークを介して複数のサブネットワークが接続し、各サブネットワークに属する複数の通信端末装置に対して同一情報を通信制御する通信制御システムであって、送信端末装置からの送信要求に応じて、サブネットワーク毎の代表端末装置に対して、当該代表端末装置が属するサブネットワーク内の他の通信端末装置への転送処理を要求し、各代表端末装置に許可されると、送信端末装置に各代表端末装置の送信先情報を与える通信制御手段を備えることを特徴とする。【選択図】      図１
2006121517.tif 000002
【特許請求の範囲】
【請求項１】
マルチキャストグループ情報を管理しないネットワークを介して複数のサブネットワークが接続し、上記各サブネットワークに属する複数の通信端末装置に対して同一情報を通信制御する通信制御システムであって、
上記情報を送信する送信端末装置と、
上記送信端末装置からの送信要求に応じて、予め定められた上記サブネットワーク毎の代表端末装置に対して、当該代表端末装置が属するサブネットワーク内の他の通信端末装置への転送処理を要求し、上記各代表端末装置に許可されると、上記送信端末装置に上記各代表端末装置の送信先情報を与える通信制御手段と、
を備え、
上記送信端末装置が、上記通信制御手段の指示を受けて、自端末装置が属するサブネットワーク内の他の通信端末装置に対して上記情報を送信すると共に、上記代表端末装置の送信先情報に基づいて上記情報を送信し、
上記各代表端末装置が、上記送信端末装置から受信した上記情報を、自端末装置が属するサブネットワーク内の他の通信端末装置に対して転送する
ことを特徴とする通信制御システム。
【請求項２】
マルチキャストグループ情報を管理しないネットワークを介して複数のサブネットワークが接続し、上記各サブネットワークに属する複数の通信端末装置に対して同一情報を通信制御する通信制御装置であって、
上記情報を送信する送信端末装置からの送信要求に応じて、予め定められた上記サブネットワーク毎の代表端末装置に対して、当該代表端末装置が属するサブネットワーク内の他の通信端末装置への転送処理を要求し、上記各代表端末装置に許可されると、上記送信端末装置に上記各代表端末装置の送信先情報を与える通信制御手段を備えることを特徴とする通信制御装置。
【請求項３】
マルチキャストグループ情報を管理しないネットワークを介して複数のサブネットワークが接続し、上記各サブネットワークに属する複数の通信端末装置に対して同一情報を通信制御する通信制御システムを構成する通信端末装置であって、
自端末装置が属するサブネットワーク内の他の通信端末装置に対して指定された情報を転送する転送手段と、
上記通信制御システムを構成する通信制御装置から指定された情報についての転送要求を受けて、上記転送手段の実行を制御する転送制御手段と
を備えることを特徴とする通信端末装置。
【請求項４】
マルチキャストグループ情報を管理しないネットワークを介して複数のサブネットワークが接続し、上記各サブネットワークに属する複数の通信端末装置に対して同一情報を通信制御する通信制御方法であって、
上記情報を送信する送信端末装置と、
上記送信端末装置からの送信要求に応じて、予め定められた上記サブネットワーク毎の代表端末装置に対して、当該代表端末装置が属するサブネットワーク内の他の通信端末装置への転送処理を要求し、上記各代表端末装置に許可されると、上記送信端末装置に上記各代表端末装置の送信先情報を与える通信制御手段と、
を備え、
上記送信端末装置が、上記通信制御手段の指示を受けて、自端末装置が属するサブネットワーク内の他の通信端末装置に対して上記情報を送信すると共に、上記代表端末装置の送信先情報に基づいて上記情報を送信し、
上記各代表端末装置が、上記送信端末装置から受信した上記情報を、自端末装置が属するサブネットワーク内の他の通信端末装置に対して転送する
ことを特徴とする通信制御方法。
【発明の詳細な説明】
【技術分野】
【０００１】
本発明は、通信制御システム、通信制御装置、通信端末装置及び通信制御方法に関し、例えば、ＩＰ（Ｉｎｔｅｒｎｅｔ  Ｐｒｏｔｏｃｏｌ）マルチキャスト通信を利用して複数の通信端末装置に同一情報を与えるシステムに適用し得る。
【背景技術】
【０００２】
従来、例えば同報通信サービスを実現する方法として、複数の端末に対して同じデータを送信するＩＰマルチキャスト通信の技術を利用するものがある（特許文献１参照）。
【０００３】
マルチキャスト通信の方式には、いくつかの方式があるが、例えば同報通信に利用されるＩＰマルチキャストの方式は、予め決められたマルチキャストグループに対応したマルチキャストアドレスを送信先として、送信端末がＩＰパケット（これを特にＩＰマルチキャストパケットという）を送出し、複数の受信端末が受信したいマルチキャストグループのマルチキャストアドレス宛てのＩＰマルチキャストパケットを受信することによりデータ（これを特にＩＰマルチキャストデータという）を取得している。
【０００４】
また、複数のルータをまたがるネットワークにおいて、送信端末が送信したＩＰマルチキャストパケットが受信端末まで転送されない場合、所定の手順（例えば、ＩＧＭＰ（Ｉｎｔｅｒｎｅｔ  Ｇｒｏｕｐ  Ｍｅｍｂｅｒｓｈｉｐ  Ｐｒｏｔｏｃｏｌ））に従って、受信端末が、自分の属するマルチキャストグループをマルチキャスト対応ルータに対して要求し、自分の属するマルチキャストグループ宛てのＩＰマルチキャストパケットをルータに転送してもらうことにより受信を可能としている。
【０００５】
【特許文献１】特開２００１−２４４９７８号公報
【発明の開示】
【発明が解決しようとする課題】
【０００６】
しかしながら、従来のＩＰマルチキャスト通信を利用して同報通信を実現するためには、送信端末及び受信端末がＩＰマルチキャストパケットの送受信機能を有することが必要であるということだけでなく、送信端末から受信端末までのネットワーク上にＩＰマルチキャストパケットの転送機能を有するネットワーク装置（例えば、ルータやスイッチなど）を備えることが必要であった。その結果、ＩＰマルチキャストを利用して同報通信を実現させるには、システム内の機器選定に制限を与えることになるため、柔軟な対応ができないことがある。また、これらネットワーク装置を含むシステムの保守管理作業も複雑化になる。
【０００７】
また、例えばインターネットのようなネットワークを介するシステムに適用した場合、マルチキャストグループ情報の確保及び維持するために、ルータ間で情報の授受をする必要がある。そのため、これらネットワーク装置が充分に保証されていないネットワークを介する場合、ＩＰマルチキャストパケット転送に対応できないこともあり、この場合には同報通信サービスの提供ができない。
【０００８】
そこで、複数のネットワークがマルチキャストグループ情報を管理しないネットワークに接続する場合であっても、マルチキャスト対応のネットワーク装置を設けることなく、各ネットワークの複数の通信端末装置に同一情報を与えることができる通信制御システム、通信制御装置、通信端末装置及び通信制御方法が求められている。
【課題を解決するための手段】
【０００９】
かかる課題を解決するために、第１の本発明の通信制御システムは、マルチキャストグループ情報を管理しないネットワークを介して複数のサブネットワークが接続し、各サブネットワークに属する複数の通信端末装置に対して同一情報を通信制御する通信制御システムであって、（１）情報を送信する送信端末装置と、（２）送信端末装置からの送信要求に応じて、予め定められたサブネットワーク毎の代表端末装置に対して、当該代表端末装置が属するサブネットワーク内の他の通信端末装置への転送処理を要求し、各代表端末装置に許可されると、送信端末装置に各代表端末装置の送信先情報を与える通信制御手段とを備え、送信端末装置が、通信制御手段の指示を受けて、自端末装置が属するサブネットワーク内の他の通信端末装置に対して情報を送信すると共に、代表端末装置の送信先情報に基づいて情報を送信し、各代表端末装置が、送信端末装置から受信した情報を、自端末装置が属するサブネットワーク内の他の通信端末装置に対して転送することを特徴とする。
【００１０】
また、第２の本発明の通信制御装置は、マルチキャストグループ情報を管理しないネットワークを介して複数のサブネットワークが接続し、各サブネットワークに属する複数の通信端末装置に対して同一情報を通信制御する通信制御装置であって、情報を送信する送信端末装置からの送信要求に応じて、予め定められたサブネットワーク毎の代表端末装置に対して、当該代表端末装置が属するサブネットワーク内の他の通信端末装置への転送処理を要求し、各代表端末装置に許可されると、送信端末装置に各代表端末装置の送信先情報を与える通信制御手段を備えることを特徴とする。
【００１１】
さらに、第３の本発明の通信端末装置は、マルチキャストグループ情報を管理しないネットワークを介して複数のサブネットワークが接続し、各サブネットワークに属する複数の通信端末装置に対して同一情報を通信制御する通信制御システムを構成する通信端末装置であって、（１）自端末装置が属するサブネットワーク内の他の通信端末装置に対して指定された情報を転送する転送手段と、（２）通信制御システムを構成する通信制御装置から指定された情報についての転送要求を受けて、転送手段の実行を制御する転送制御手段とを備えることを特徴とする。
【００１２】
また、第４の本発明の通信制御方法は、マルチキャストグループ情報を管理しないネットワークを介して複数のサブネットワークが接続し、各サブネットワークに属する複数の通信端末装置に対して同一情報を通信制御する通信制御方法であって、（１）情報を送信する送信端末装置と、（２）送信端末装置からの送信要求に応じて、予め定められた上記サブネットワーク毎の代表端末装置に対して、当該代表端末装置が属するサブネットワーク内の他の通信端末装置への転送処理を要求し、各代表端末装置に許可されると、送信端末装置に各代表端末装置の送信先情報を与える通信制御手段とを備え、送信端末装置が、通信制御手段の指示を受けて、自端末装置が属するサブネットワーク内の他の通信端末装置に対して情報を送信すると共に、代表端末装置の送信先情報に基づいて情報を送信し、各代表端末装置が、送信端末装置から受信した情報を、自端末装置が属するサブネットワーク内の他の通信端末装置に対して転送することを特徴とする。
【発明の効果】
【００１３】
本発明によれば、マルチキャスト対応のネットワーク装置を設ける必要がないので、システム内のネットワーク装置に制限されることなく、複数の通信端末装置に対して同一情報を与えることができる。また、保守管理作業の複雑化を防ぐことができる。
【発明を実施するための最良の形態】
【００１４】
（Ａ）実施形態
以下、本発明の通信制御システム、通信制御装置、通信端末装置及び通信制御方法の実施形態について図面を参照して説明する。本実施形態は、本発明の通信制御システム、通信制御装置、通信端末装置及び通信制御方法を採用して、ＩＰマルチキャスト通信を利用した同報通信を実現する場合について説明する。
【００１５】
（Ａ−１）実施形態の構成
図１は、本実施形態に係る通信ネットワークの概略的な構成を示す。図１において、通信ネットワーク９は、それぞれのネットワーク構成を１グループとする３個のサブネットワークＧ１、Ｇ２、Ｇ３を備え、サブネットワークＧ１〜Ｇ３はネットワークＧ０を介して接続する。
【００１６】
ネットワークＧ０は、例えば、ＷＡＮ（広域ネットワーク）が該当し、サブネットワークＧ１〜Ｇ３を構成要素とするネットワークが考えられる。また、ネットワークＧ０は、例えばインターネットのようにＩＰマルチキャスト対応ルータを設置しなければＩＰマルチキャスト通信を実現することができないネットワークを含むものとする。本実施形態は、後述するように各サブネットワークＧ１〜Ｇ３の各ルータが一般的なルータを想定するので、ネットワークＧ０はＩＰマルチキャスト通信を実現できないものとする。
【００１７】
サブネットワークＧ１〜Ｇ３は、例えばイーサネット（登録商標）ＬＡＮなどが該当する。サブネットワークＧ１〜Ｇ３は、それぞれのネットワーク内Ｇ１〜Ｇ３の領域をブロードキャストドメインとする構成である。
【００１８】
なお、図１において、サブネットワークＧ１〜Ｇ３のそれぞれのネットワーク構成は、概略的なイメージであり特に限定されるものではなく、本実施形態では説明便宜上対応する構成を備えるものとして説明する。
【００１９】
サブネットワークＧ１〜Ｇ３はそれぞれ、ルータ１０、２０、３０と、レイヤ２スイッチ１１、２１、３１と、ＶｏＩＰ端末１２、１３、２２、２３、３２、３３を備える。また、サブネットワークＧ１は、これら構成要件に加えて、ＩＰ−ＰＢＸ装置１４を備える。
【００２０】
サブネットワークＧ１において、ルータ１０は、ポートＲ１０でネットワークＧ０と接続し、ポートＲ１１でレイヤ２スイッチ１１のポートＰ１１に接続する。またレイヤ２スイッチ１１は、ポート１１でルータ１０に接続し、ポートＰ１２でＶｏＩＰ端末１２に接続し、ポートＰ１３でＶｏＩＰ端末１３に接続し、ポートＰ１４でＩＰ−ＰＢＸ装置１４に接続する。
【００２１】
また、サブネットワークＧ２において、ルータ２０は、ポートＲ２０でネットワークＧ０に接続し、ポートＲ２１でレイヤ２スイッチ２１のポートＰ２１と接続する。またレイヤ２スイッチ２１は、ポートＰ２１でルータ２０に接続し、ポートＰ２２でＶｏＩＰ端末２２に接続し、ポートＰ２３でＶｏＩＰ端末２３に接続する。
【００２２】
さらに、サブネットワークＧ３において、ルータ３０は、ポートＲ３０でネットワークＧ０と接続し、ポートＲ３１でレイヤ２スイッチ３１のＰ３１と接続する。またレイヤ２スイッチ３１は、ポートＰ３１でルータ３０と接続し、ポートＰ３２でＶｏＩＰ端末３２と接続し、ポートＰ３３でＶｏＩＰ端末３３と接続する。
【００２３】
ルータ１０、２０、３０は、ネットワークＧ０を介して、それぞれのサブネットワークＧ１〜Ｇ３との間の通信を行なうものである。本実施形態では、ルータ１０、２０、３０は、マルチキャストグループ情報を保持するＩＰマルチキャスト対応ルータでなく、ネットワークＧ０に接続する一般的なルータを想定している。
【００２４】
レイヤ２スイッチ１１、２１、３１は、ルータ１０、２０、３０からＩＰパケットを受け取り、そのＩＰパケットに含まれる送信先情報に基づいて対応するＶｏＩＰ端末１２、１３、２２、２３、３２、３３若しくはＩＰ−ＰＢＸ装置１４にＩＰパケットを与えるものである。
【００２５】
ＶｏＩＰ端末１２、１３、２２、２３、３２、３３は、少なくとも、ＩＰマルチキャストパケットの送受信機能、自端末が属する各サブネットワークＧ１〜Ｇ３内をブロードキャストドレインとする転送機能、ＩＰパケット（ユニキャストパケット及びＩＰマルチキャストパケット）に含まれているデータ（マルチキャストデータを含む）を再生して出力する機能を備える音声通信装置である。
【００２６】
図２は、ＶｏＩＰ端末１２、１３、２２、２３、３２、３３の内部構成機能図である。図２に示すように、ＶｏＩＰ端末１２、１３、２２、２３、３２、３３は、通話回路部４１と制御部４２とを備える。
【００２７】
通話回路部４１は、レイヤ２スイッチと送話器４３及び受話器４４に接続し、音声についてディジタル変換処理及びアナログ変換処理を行なうものである。
【００２８】
制御部４２は、ＩＰマルチキャストパケットの送受信機能や転送機能を制御するものである。制御部４２は、ハードウェア的には、例えば、ＣＰＵ、ＲＡＭ、ＲＯＭなどが該当し、ＣＰＵがＲＡＭ及びＲＯＭに記憶されている処理に必要な情報を用いて処理プログラムを実行することにより各機能が実現される。
【００２９】
また、ＶｏＩＰ端末１２、１３、２２、２３、３２、３３は、同報サービスを提供する側となる場合、ＩＰ−ＰＢＸ装置１４から受信したマルチキャストアドレスに対してＩＰマルチキャストパケットで提供データを送信すると共に、ＩＰ−ＰＢＸ装置１４から受信したＶｏＩＰ端末（転送機能を実現する端末）に対してユニキャストパケットで提供データを送信するものである。
【００３０】
ここで、ＩＰマルチキャストパケットの送信機能とは、まず、提供する同報サービスを示す情報を含む同報サービス要求メッセージをＩＰ−ＰＢＸ装置１４に与え、ＩＰ−ＰＢＸ装置１４からその確認メッセージを受信すると、同報サービスに係る音声データ（マルチキャストデータ）に、ＩＰ−ＰＢＸ装置１４から与えられたマルチキャストアドレスを付与して送信する機能である。
【００３１】
また、ＩＰマルチキャストパケットの受信機能とは、ＩＰ−ＰＢＸ装置１４からマルチキャスト受信要求メッセージが与えられると、そのメッセージに含まれているマルチキャストアドレス及びＩＰマルチキャストパケットを送信する送信元情報（例えば、ＩＰアドレス）を記憶し、その後、当該記憶している送信元から当該マルチキャストアドレスが付与されたＩＰマルチキャストパケットが与えられたときに、そのＩＰマルチキャストパケットを受信する機能である。そして、ＶｏＩＰ端末は、その受信したＩＰマルチキャストパケットに含まれているマルチキャストデータ（音声データ）を抽出し、音声を再生し、出力する。
【００３２】
また、転送機能とは、ＩＰ−ＰＢＸ装置１４から転送要求メッセージが与えられると、その転送要求メッセージに含まれているＩＰマルチキャストパケットの送信元情報（ＩＰアドレス）、ポート番号及びマルチキャストアドレスを記憶し、その送信元から当該マルチキャストアドレスのＩＰマルチキャストパケットが、当該ポート番号に到来した場合に、その到来したＩＰマルチキャストパケットを、自端末が属するサブネットワークＧ１〜Ｇ３内にブロードキャスト送信する機能である。
【００３３】
本実施形態では、転送機能を実行させるＶｏＩＰ端末は各サブネットワークＧ１〜Ｇ３内に属する複数のＶｏＩＰ端末の中から１個選択したものとし、またＩＰ−ＰＢＸ装置１４が各同報サービス毎に予め選択した転送端末として機能させるＶｏＩＰ端末の情報を保持しているものとする。
【００３４】
ＩＰ−ＰＢＸ装置１４は、ＶｏＩＰ端末１２、１３、２２、２３、３２、３３に対してＰＢＸサービス（呼処理）を提供すると共に、放送呼びサービス、固定ガイダンス聴取サービスなどの同報サービスをＩＰマルチキャスト通信を使用して実現するものである。
【００３５】
ここで、放送呼びサービスとは、放送呼びを要求した１つのＶｏＩＰ端末が音声データをＩＰマルチキャストパケットで送信し、他のすべてのＶｏＩＰ端末がＩＰマルチキャストパケットを受信し、受信した音声データを再生するサービスとする。また、固定ガイダンス聴取サービスとは、送信端末が、予め記憶されたガイダンス音声データをＩＰマルチキャストパケットで送信し、他のすべてのＶｏＩＰ端末が受信したＩＰマルチキャストパケットのガイダンス音声データを再生するサービスである。
【００３６】
図３は、ＩＰ−ＰＢＸ装置１４の概略的な内部機能を説明する内部構成図である。図３に示すように、ＩＰ−ＰＢＸ装置１４は、制御部５１、ディジタル処理部５２、通信回路部５３を備える。
【００３７】
ディジタル処理部５２は、レイヤ２スイッチ１１とのインターフェースである通信回路部５３からのＩＰパケットに対してディジタル処理を行ない、呼処理をするものである。
【００３８】
制御部５１は、本実施形態のＩＰ−ＰＢＸ装置１４の機能を実行するものである。制御部５１は、ハードウェア的には、例えば、ＣＰＵ、ＲＡＭ、ＲＯＭなどが該当し、ＣＰＵがＲＡＭ及びＲＯＭに記憶されている処理に必要な情報を用いて処理プログラムを実行することにより各機能が実現される。また、制御部５１は、サービス毎のマルチキャストデータテーブルＴＢ１と端末アドレスデータテーブルＴＢ２を、内部データとして有する。
【００３９】
図４は、マルチキャストデータテーブルＴＢ１を説明するための例を示す。図４において、マルチキャストデータテーブルＴＢ１は、テーブル項目として、例えば、サービス名、マルチキャストアドレス、転送端末を管理する。
【００４０】
サービス名は、ＩＰ−ＰＢＸ装置１４がマルチキャスト通信を用いて提供する同報サービス名である。図４では、放送呼びサービス及び固定ガイダンスサービス（図４では固定ガイダンス１と示す）を例とする。マルチキャストアドレスは、サービス提供に係るマルチキャストアドレスである。このマルチキャストアドレスは、各サービス毎に任意に設定されるものであり、手動的又は自動的に設定されるものである。転送端末は、各サービス毎に予め選択したＩＰマルチキャストパケットを転送するＶｏＩＰ端末を示す。
【００４１】
例えば、図４において、放送呼びサービスを提供する場合、転送端末は、ＶｏＩＰ端末２２（転送端末１）とＶｏＩＰ端末３２（転送端末２）である。この場合、ＶｏＩＰ端末２２及びＶｏＩＰ端末３２に転送機能を実現させるためのポート番号は共に「４００００」であることが分かる。
【００４２】
図５は、端末アドレスデータテーブルＴＢ２を説明するための例を示す。図５において、端末アドレスデータテーブルＴＢ２は、テーブル項目として、例えば、端末番号、サブネットワークグループ番号、ＩＰアドレスを管理する。
【００４３】
端末番号は、ＶｏＩＰ端末の端末番号を示す。サブネットワークグループ番号は、ＶｏＩＰ端末が属するサブネットワークＧ１〜Ｇ３を示す番号であり、本実施形態では、サブネットワークＧ１が１、Ｇ２が２、Ｇ３が３とする。また、ＩＰアドレスは、対応するＶｏＩＰ端末のＩＰアドレスを示す。
【００４４】
ＩＰ−ＰＢＸ装置１４は、ＩＰマルチキャストパケットを送信するＶｏＩＰ端末から同報サービス要求メッセージを受け取ると、マルチキャストデータテーブルＴＢ１を参照して、当該同報サービス要求メッセージの同報サービスの提供のために予め定められたマルチキャストアドレス、転送端末及び転送端末の受信ポート番号を読み出すものである。また、ＩＰ−ＰＢＸ装置１４は、端末アドレスデータテーブルＴＢ２を参照して、転送端末を含むＶｏＩＰ端末１２、１３、２２、２３、３２、３３のＩＰアドレスを読み出すものである。
【００４５】
これにより、提供する同報サービスに係るマルチキャストアドレス、転送端末、転送端末の受信ポート番号、転送端末のＩＰアドレス及び他のすべてのＶｏＩＰ端末のＩＰアドレスを特定することができる。
【００４６】
なお、この転送端末の受信ポート番号とは、転送端末が同一サブネットワークＧ１〜Ｇ３内のＶｏＩＰ端末に対するＩＰマルチキャストパケットの転送処理を実行させるための通信ポート番号である。
【００４７】
また、ＩＰ−ＰＢＸ装置１４は、他のすべてのＶｏＩＰ端末１３、２２、２３、３２、３３に対してＩＰマルチキャストパケットの受信要求を行なうと共に、転送端末に対してＩＰマルチキャストパケットの転送要求を行なうものである。
【００４８】
ここで、ＩＰマルチキャストの受信要求の際、ＩＰ−ＰＢＸ装置１４は、ＩＰマルチキャストパケットの送信元が各サブネットワークＧ１〜Ｇ３の転送端末としてメッセージを送信する。これにより、転送端末が転送したＩＰマルチキャストパケットを、転送端末以外のＶｏＩＰ端末が受信することができる。
【００４９】
（Ａ−２）実施形態の動作
次に、本実施形態のＩＰマルチキャスト通信を利用して同報サービスを提供するときの動作について図６を参照して説明する。以下では、ＶｏＩＰ端末１２が放送呼びサービスを実行する際の動作を説明する。
【００５０】
図６において、まず、ＶｏＩＰ端末１２は、同報サービス要求サービスとして放送呼びサービスの要求メッセージをＩＰ−ＰＢＸ装置１４に送信する（Ｓ１）。
【００５１】
ＶｏＩＰ端末１２から要求メッセージが与えられると、ＩＰ−ＰＢＸ装置１４は、サービス毎マルチキャストデータテーブルＴＢ１及び端末アドレスデータテーブルＴＢ２を参照し、放送呼びサービスで使用するマルチキャストアドレス、転送端末のＩＰアドレス及び受信ポート番号を抽出する（Ｓ２）。
【００５２】
ここでは、送信呼びサービスに対応するマルチキャストアドレス「２３９．２５５．１．１」とし、また、転送端末として「ＶｏＩＰ端末２２」及び「ＶｏＩＰ端末３２」とし、転送端末２２についてＩＰアドレス「１７２．１．２．２２」及びポート番号「４００００」と、転送端末３２についてＩＰアドレス「１７２．１．３．３２」及びポート番号４００００」とを抽出する。
【００５３】
また、ＩＰ−ＰＢＸ装置１４において、他のすべてのＶｏＩＰ端末１３、２２、２３、３２、３３のＩＰアドレスが抽出され、ＩＰマルチキャストパケットの受信要求メッセージが、他のすべてのＶｏＩＰ端末１３、２２、２３、３２、３３に送信される（Ｓ３）。
【００５４】
このとき、ＩＰ−ＰＢＸ装置１４は、同一サブネットワークＧ１〜Ｇ３内の転送端末がＩＰマルチキャストパケットの送信元となるようなＩＰマルチキャストパケットの受信要求メッセージを、ＶｏＩＰ端末１３、２２、２３、３２、３３に送信する。
【００５５】
すなわち、この場合、ＩＰ−ＰＢＸ装置１４は、ＶｏＩＰ端末１３に対しては、送信元がＶｏＩＰ端末１２であり、送信先がマルチキャストアドレス「２３９．２５５．１．１」のマルチキャストパケットの受信要求メッセージを送信する。また、ＩＰ−ＰＢＸ装置１４は、ＶｏＩＰ端末２２、２３に対しては、送信元がＶｏＩＰ端末２２で送信先がマルチキャストアドレス「２３９．２５５．１．１」のマルチキャストパケットの受信要求メッセージを送信する。また、ＩＰ−ＰＢＸ装置１４は、ＶｏＩＰ端末３２、３３に対しては、送信元がＶｏＩＰ端末３２で送信先がマルチキャストアドレス「２３９．２５５．１．１」のマルチキャストパケットの受信要求メッセージを送信する。
【００５６】
ＩＰマルチキャストパケット受信要求を受信したＶｏＩＰ端末１３、２２、２３、３２、３３は、受信要求メッセージに指定された送信元、マルチキャストアドレスを所定の記憶領域に記憶する。そして、ＶｏＩＰ端末１３、２２、２３、３２、３３は、指定されたマルチキャストアドレスのマルチキャストパケットを受信するＩＰマルチキャストパケットの受信機能及び再生出力機能の実行準備を行なう（Ｓ４）。
【００５７】
そして、ＶｏＩＰ端末１３、２２、２３、３２、３３において、ＩＰマルチキャストパケットの受信機能及び再生出力機能の実行準備が完了すると、受信要求の確認メッセージが、ＶｏＩＰ端末１３、２２、２３、３２、３３からＩＰ−ＰＢＸ装置１４に送信される（Ｓ５）。
【００５８】
受信要求の確認メッセージがすべてのＶｏＩＰ端末１３、２２、２３、３２、３３から与えられると、マルチキャスト転送の要求メッセージが、ＩＰ−ＰＢＸ装置１４からすべての転送端末（ＶｏＩＰ端末２２及び３２）に対して送信される（Ｓ６）。
【００５９】
このとき、ＩＰ−ＰＢＸ装置１４は、ＶｏＩＰ端末２２に対しては、音声パケット（ＩＰマルチキャストパケット）の送信元ＶｏＩＰ端末１２のＩＰアドレス「１７２．１．１．１２」、受信ポート番号「４００００」及び転送先のマルチキャストアドレス「２３９．２５５．１．１」を通知する。また、ＩＰ−ＰＢＸ装置１４は、ＶｏＩＰ端末３２に対しては、音声パケット（ＩＰマルチキャストパケット）の送信元ＶｏＩＰ端末１２のＩＰアドレス「１７２．２１．１．１２」、受信ポート番号「４００００」及び転送先のマルチキャストアドレス「２３９．２５５．１．１」を通知する。
【００６０】
転送要求メッセージが転送端末（ＶｏＩＰ端末２２及び３２）に与えられると、ＶｏＩＰ端末２２及び３２は、転送要求メッセージに基づいて、送信元のＩＰアドレス、受信ポート番号及びマルチキャストアドレスを所定の記憶領域に記憶する。そして、ＶｏＩＰ端末２２及び３２は、指定された受信ポート番号に指定されたマルチキャストアドレスのＩＰマルチキャストパケットが到来した場合の転送機能の実行準備を行なう（Ｓ７）。
【００６１】
そして、ＶｏＩＰ端末２２及び３２において、ＩＰマルチキャストパケットの転送機能の実行準備が完了すると、転送要求の確認メッセージが、ＶｏＩＰ端末２２及び３２からＩＰ−ＰＢＸ装置１４に送信される（Ｓ８）。
【００６２】
これにより、ＶｏＩＰ端末２２及び３２側に意識させることなく、転送端末として機能させることができる。
【００６３】
転送要求の確認メッセージが転送端末（ＶｏＩＰ端末２２及び３２）から送信されると、放送呼びサービスの要求メッセージに対する確認メッセージが、ＩＰ−ＰＢＸ装置１４からサービス提供を行なうＶｏＩＰ端末１２に対して送信される（Ｓ９）。
【００６４】
このとき、ＩＰ−ＰＢＸ装置１４は、放送呼び確認メッセージで、ＶｏＩＰ端末１２に対して、放送呼びサービスで使用するマルチキャストアドレス「２３９．２５５．１．１」と、転送端末であるＶｏＩＰ端末２２のＩＰアドレス「１７２．１．２．２２」及びポート番号「４００００」、ＶｏＩＰ端末３２のＩＰアドレス「１７２．１．３．３２」及びポート番号「４００００」を通知する。
【００６５】
これにより、ＶｏＩＰ端末１２に対して、提供する同報サービスのマルチキャストアドレスと共に、送信先とする転送端末２２及び３２のＩＰアドレスと受信ポート番号とを通知することができる。
【００６６】
放送呼びサービスの要求に対する確認メッセージがＶｏＩＰ端末１２に与えられると、ＶｏＩＰ端末１２は、確認メッセージに基づいて、マルチキャストアドレス、送信先のＩＰアドレス及び受信ポート番号を所定の記憶領域に記憶する。そして、放送呼びサービスに係る音声データに、マルチキャストアドレスを付与したＩＰマルチキャストパケットが、ＶｏＩＰ端末１２から送信される（Ｓ１０）。
【００６７】
これにより、ＶｏＩＰ端末２が属するサブネットワークＧ１のＶｏＩＰ端末１３に対して放送呼びサービスに係るパケットを受信させることができるので、同報サービスを提供することできる。
【００６８】
また、ＶｏＩＰ端末１２は、放送呼びサービスに係る音声データに、送信先としてＶｏＩＰ端末２２及び３２のＩＰアドレス及び受信ポート番号を付与したユニキャストパケットを送信する（Ｓ１１）。
【００６９】
ユニキャストパケットがＶｏＩＰ端末２２及び３２の指定された受信ポート番号「４００００」に到来すると、ＶｏＩＰ端末２２及び３２は、到来したユニキャストパケットを、マルチキャストアドレス「２３９．２５５．１．１」のマルチキャストパケットとしてブロードキャスト転送する（Ｓ１２）。
【００７０】
これにより、ＶｏＩＰ端末２２及び３２がそれぞれ属するサブネットワークＧ２及びＧ３のＶｏＩＰ端末２２、２３、３２、３３に対して放送呼びサービスに係るパケットを受信させることができるので、同報サービスを提供することができる。
【００７１】
（Ａ−３）実施形態の効果
以上、本実施形態によれば、サブネットワークＧ１〜Ｇ３内でＶｏＩＰ端末のうち１個のＶｏＩＰ端末をマルチキャスト転送端末とし、同報サービスに係るパケットをサブネットワーク内で転送させることにより、他のすべてのＶｏＩＰ端末に同報サービスに係るパケットを受信可能にすることができる。
【００７２】
また、本実施形態によれば、ＩＰ−ＰＢＸ装置１４が、サブネットワークＧ１〜Ｇ３を代表するマルチキャスト転送端末を同報サービス毎に管理することで、ＩＰマルチキャスト対応ルータを備える必要がない。
【００７３】
その結果、例えばルータなどのネットワーク装置の選定に制限を与えず、また例えばインターネットなどを介するネットワークであっても、ＩＰマルチキャスト通信を利用した同報通信を実現することができる。また、同報通信ネットワークの保守管理作業の複雑化を防ぐことができる。
【００７４】
（Ｂ）他の実施形態
（Ｂ−１）上述した実施形態において各サブネットワークＧ１〜Ｇ３のネットワーク構成は、図１に示す構成に限定されず、例えば、ＶｏＩＰ端末の設置数、中継装置（例えばルータ、ゲートウェイ装置、スイッチ装置等）の種類又は設置数などは、そのネットワーク設計等に応じて柔軟に適用を変えることができる。
【００７５】
（Ｂ−２）上述した実施形態において、ＩＰ−ＰＢＸ装置１４は、本発明に係る通信制御装置の一例であり、同様の機能が実行可能であれば、例えば、ゲートウェイ装置や呼処理機能を有する通信装置などが同機能を実装するものとしてもよい。
【００７６】
また、上述した実施形態において、ＶｏＩＰ端末は、本発明に係る通信端末装置の一例であり、同様の機能が実行可能であれば、例えば、ＶｏＩＰ対応の電話機、音声通信を実現するソフトウェアを組み込んだパーソナルコンピュータなど他の端末装置を適用してもよい。
【００７７】
（Ｂ−３）上述した実施形態において、転送端末は、自端末が属すサブネットワーク内をブロードキャストドレインとして、他のすべてのＶｏＩＰ端末に転送するものとして説明したが、ブロードキャスト転送でなく特定の端末に転送するようにしてもよい。
【００７８】
（Ｂ−４）以上の説明で、ハードウェア的に実現した機能の大部分はソフトウェア的に実現することが可能であり、ソフトウェア的に実現した機能のほとんど全てはハードウェア的に実現することが可能である。
【図面の簡単な説明】
【００７９】
【図１】実施形態の通信システムの概略的な全体構成図である。
【図２】実施形態のＶｏＩＰ端末の概略的な内部機能構成図である。
【図３】実施形態のＩＰ−ＰＢＸ装置の概略的な内部機能構成図である。
【図４】実施形態のサービス毎のマルチキャストデータテーブルの構成例を説明する説明図である。
【図５】実施形態の端末アドレスデータテーブルの構成例を説明する説明図である。
【図６】実施形態の同報通信サービスの動作フローチャートである。
【符号の説明】
【００８０】
Ｇ０…ネットワーク（ＷＡＮ）、Ｇ１、Ｇ２、Ｇ３…サブネットワーク（ＬＡＮ）、
１４…ＩＰ−ＰＢＸ装置、ＴＢ１…マルチキャストデータテーブル、
ＴＢ２…端末アドレスデータテーブル、５１…制御部、
５２…ディジタル処理部、５３…通信回路部、
１２、１３、２２、２３、３２、３３…ＶｏＩＰ端末、４１…通話回路部、
４２…制御部。
【図１】
2006121517.tif 000003
【図２】
2006121517.tif 000004
【図３】
2006121517.tif 000005
【図４】
2006121517.tif 000006
【図５】
2006121517.tif 000007
【図６】
2006121517.tif 000008